(57)【特許請求の範囲】
【請求項１】
略水平に枢支された円筒形の回転体であるドラムを有し、このドラムに付着された溶液を乾燥，冷却することにより、ドラム外周に固化した処理物を掻き取るものにおいて、
前記ドラムに近接した下方に配設され、このドラム下部の長手方向が、溜められた溶液に浸漬される鍋と、
前記ドラムに近接した上方に配設され、このドラム上部の長手方向に溶液を滴下する滴下装置と、
前記ドラムの円筒面にそって長手方向に刃が配設された上向きスクレーパー、この両端でドラムの円板面の外方縁に配設されたサイドスクレーパー及び前記両スクレーパーからの処理物を流下させるデイップフィード用シュートと、
前記ドラムの円筒面にそって長手方向に刃が配設された下向きスクレーパー及びこのスクレーパーからの処理物を流下させるトップフィード用シュートと、
前記ドラムを正逆回転させる駆動装置とを具備していることを特徴とする多目的溶液固化装置。
【請求項２】
前記上向きスクレーパーと下向きスクレーパーとはそれぞれドラムの円筒面の片側の上下に配設され、かつ上向きスクレーパー及びサイドスクレーパーは下向きスクレーパーの下方に配設され、前記デイップフィード用シュートは掻き取られた処理物を解砕機へ投入する方向へ、前記トップフィード用シュートは掻き取られた処理物を解砕機をバイパスする方向へ配設されていることを特徴とする請求項１記載の多目的溶液固化装置。
【発明の詳細な説明】
【０００１】
【発明の属する技術分野】
本発明は、油脂，食品，樹脂等の原料の溶液をドラムに付着させた状態で乾燥，冷却し、固化した処理物を掻き取るためのドラムドライヤーまたはドラムフレーカー等の多目的溶液固化装置に関するものである。
【０００２】
【従来の技術】
従来の溶液固化装置には、ドラム下方の鍋に入れた溶液をドラム表面で固化して掻き取るデイップフィード式と、ドラム上方の滴下装置から滴下した溶液をドラム表面で固化して掻き取るトップフィード式とがあった。
【０００３】
【発明が解決しようとする課題】
通常生産工程の前段部は反応工程等目的とする油脂，食品，樹脂等の生成装置であり、目的物の反応生成後、乾燥或いは冷却或いは凝固等で一定形状の商品を生産するために工程の後段部にてドラムフレーカー或いはドラムドライヤーが使用される。
反応等の前段に置ける生成工程は同一の反応釜内で、時間あるいは圧力等条件あるいは投入薬品を若干変更する事で組成を自由に変更できるが、後段の商品生産工程では、物性が変わると付着性等が変わるため、同一の装置では目的のフレーク，タブレットが生産できない場合が多く、トップフィード式かまたはデイップフィード式と生産装置が特定されるので、同一の生産ラインの中で２種類の形式の装置が必要とされたいた。
【０００４】
本発明は、前述した事情に鑑みてなされたものであり、１台のドラムをデイップフィード式とトップフィード式の両方に使用できるようにした多目的溶液固化装置を提供せんとするものである。
【０００５】
【課題を解決するための手段】
本発明は、前記目的を達成するため、略水平に枢支された円筒形の回転体であるドラムを有し、このドラムに付着された溶液を乾燥，冷却することにより、ドラム外周に固化した処理物を掻き取るものにおいて、
前記ドラムに近接した下方に配設され、このドラム下部の長手方向が溜められた溶液に浸漬される鍋と、
前記ドラムに近接した上方に配設され、このドラム上部の長手方向に溶液を滴下する滴下装置と、
前記ドラムの円筒面にそって長手方向に刃が配設された上向きスクレーパー、この両端でドラムの円板面の外方縁に配設されたサイドスクレーパー及び前記両スクレーパーからの処理物を流下させるデイップフィード用シュートと、
前記ドラムの円筒面にそって長手方向に刃が配設された下向きスクレーパー及びこのスクレーパーからの処理物を流下させるトップフィード用シュートと、
前記ドラムを正逆回転させる駆動装置とを具備している。
【０００６】
従って、溶液を鍋に入れた場合には、上向きスクレーパーで掻き取る方向へドラムを回転させ、溶液を滴下装置から滴下させる場合には下向きのスクレーパーで掻き取る方法へドラムを回転させる。
【０００７】
また、本発明の前記上向きスクレーパーと下向きスクレーパーとはそれぞれドラムの円筒面の片側の上下に配設され、かつ上向きスクレーパー及びサイドスクレーパーは下向きスクレーパーの下方に配設され、前記デイップフィード用シュートは掻き取られた処理物を解砕機へ投入する方向へ、前記トップフィード用シュートは掻き取られた処理物を解砕機をバイパスする方向へ配設されている。
【０００８】
従って、上向きスクレーパーで掻き取られた処理物はデイップフィード用シュートを経て解砕機へ投入され、下向きスクレーパーで掻き取られた処理物はトップフィード用シュートを経て解砕機外へ放出される。
【０００９】
【発明の実施の形態】
以下に、本発明の実施の形態を詳細に説明する。
図１は、本発明の多目的溶液固化装置の正面図、図２は、上向きスクレーパーの正面図、図３は、図２の上向きスクレーパーとサイドスクレーパーの部分側面図、図４は、下向きスクレーパーの正面図である。
【００１０】
図において、２０は鍋で、ドラム１０の下方に配設され、ドラム１０下部の長手方向が溶液に浸漬されるようになっている。そして、鍋２０には幅方向の両端下面に脚２１が取り付けられ、液圧シリンダー２２が伸縮すると脚２１のローラー２１ａがレール２３にそって上下動するよう構成されている。
【００１１】
３０は滴下装置で、原動機３１によりカム３２が回転させられ、このカム３２に接触したロッド３３が上下動することにより、液槽３４に立設された縦軸３５を上下動させて、液槽３４底部の孔３６を開閉する構造になっている。
図１及び図２において、４０は上向きスクレーパーで、前記ドラム１０の円筒面にそって長手方向に刃が配設され、レバー４３と軸４４を経てドラム１０表面との間隔を調整するようになっている。
【００１２】
図３において４５はサイドスクレーパーで、上向きスクレーパー４０の両端に位置し、ドラム１０の円板面１１の外方縁に配設されている。
４１は、デイップフィード用シュートで、上向きスクレーパー４０及びサイドスクレーパー４５で掻き取られた処理物を解砕機６１に投入するようになっている。
図１及び図４において、５０は下向きスクレーパーで、ドラム１０の円筒面にそって長手方向に刃が配設され、上向きスクレーパー４０の上方に配設され、ハンドル５２により、レバー５３及び軸５４を経てドラム表面との間隙を調整するようになっている。
５１はトップフィード用シュートで下向きスクレーパー５０で掻き取られた処理物を解砕機６１外に放出するようになっている。
【００１３】
前述のように鍋２０を用いてデイップフィードされた処理物は、解砕機に投入し、滴下装置３０を用いてトップフィードされた処理物は解砕機を通さないのは、デイップフィードの場合は上向きスクレーパー４０で掻き取られた処理物は帯状となるが、トップフィードの場合は下向きスクレーパー５０で掻き取られた処理物がタブレット状になり、解砕する必要がないからである。
【００１４】
ドラム１０を正逆に回転させる駆動装置は、原動機１２の軸のスプロケットホイール１２ａからドラム軸１３に取り付けられたスプロケットホイール１３ａへチェーン１４（ローラーチェーン）がかけ渡された構成で、原動機１２を正逆回転することによりドラム１０が正逆回転する。
図１において、６２は解砕機６１を駆動する原動機、６３はドラム表面拭き取り装置である。
【００１５】
次に動作について説明する。
本実施の態様ではフレーカーについて説明する。
先ず、デイップフィードの場合には、鍋２０に溶液を溜め、ドラム１０内に冷却水をスプレーしてドラム１０を冷却し、溶液を補給しつつ、原動機１２を駆動してドラム１０を矢印ａの方向へ回転させると、ドラム１０の外周及びサイドに固化した処理物は、上向きスクレーパー４０及びサイドスクレーパー４５（図３）により掻き取られ、デイップフィード用シュート４１を落下して解砕機６１に投入される。
【００１６】
次にトップフィードの場合には、滴下装置３０の液槽３４に溶液を補給しつつ、ドラム１０を矢印ｂの方向へ回動させると、溶液は浴槽３４の底部の孔３６からドラム１０上へ滴下し、ドラム１０の外周に固化した処理物は、下向きスクレーパー５０により掻き取られ、トップフィード用シュート５１を落下して解砕機６１外へ投下される。
【００１７】
【発明の効果】
以上詳細に説明した本発明によると下記のような効果を奏するものである。
(1) １台のドラムをデイップフィードとトップフィードとに使い分けることができるので、装置の稼働率が飛躍的に向上し、運転途中で溶液の性質が変っても、例えばトップフィードで凝固できない場合、デイップフィードに変更して運転することができる。さらに新製品の生産方式の研究等に１台で多目的に利用できる（請求項１）。
【００１８】
(2) また、トップフィードの場合は、処理物がタブレット状になり、解砕機を通す必要がないので、シュートを上下に併設しただけで、切替える必要がない。
【図面の簡単な説明】
【図１】本発明の一実施の形態を示す正面図である。
【図２】本発明の多目的溶液固化装置の上向きスクレーパーの正面図である。
【図３】図２の上向きスクレーパーと、サイドスクレーパーの部分側面図である。
【図４】本発明の多目的溶液固化装置の下向きスクレーパーの正面図である。
【符号の説明】
１０    ドラム
１１    円板面
２０    鍋
３０    滴下装置
４０    上向きスクレーパー
４１    デイップフィード用シュート
４５    サイドスクレーパー
５０    下向きスクレーパー
５１    トップフィード用シュート
６１    解砕機
【図１】
0003803809.tif 000002
【図２】
0003803809.tif 000003
【図３】
0003803809.tif 000004
【図４】
0003803809.tif 000005